(57)【要約】【課題】板状記憶媒体用ホルダにおいて、異なる形状を有する板状記憶媒体であっても、上下方向に重ねて共通の開口部から挿脱することができ、着脱機構を共通化して部品点数を削減することができるようにする。【解決手段】板状記憶媒体用ホルダの開口部１１に、板状記憶媒体４０を位置規制する左外側規制面２Ａ、右外側規制面２Ｂ、第１受け面２Ｃ、カバー天井面４ａを設け、板状記憶媒体４０の挿入経路に進退する回転ブロック１０Ａ、１０Ｂにより、板状記憶媒体５０を位置規制する側面規制面１０ｂ、上面規制面１０ａとを形成する。さらに、第１受け面２Ｃの下方に第２受け面２Ｆを設ける。【選択図】      図３
2004280687.tif 000002
【特許請求の範囲】
【請求項１】
表裏面のうちの一方の側に端子を有し、外形がそれぞれ異なる複数種類の板状記憶媒体を挿脱可能に収納する板状記憶媒体用ホルダであって、
挿脱方向から見て、相対的に大きな幅を有する第１の板状記憶媒体と相対的に小さな幅を有する第２の板状記憶媒体とを、共通の開口部から挿入して収納可能なケーシングと、
前記開口部から挿入された前記第１または第２の板状記憶媒体を前記ケーシング内の所定位置に保持するとともに、必要に応じて前記開口部から抜脱可能とする着脱機構とを備え、
前記ケーシングに、
前記第１の板状記憶媒体を少なくともその厚さ方向の所定位置に挿入可能とする厚さ方向の位置規制面を有する第１位置規制部と、
該第１位置規制部の前記厚さ方向の位置規制面の一方側に、前記第２の板状記憶媒体の厚さ寸法より小さい段差として形成され、前記第２の板状記憶媒体を幅方向の所定位置で挿入可能とする幅方向の位置規制面と、前記第２の板状記憶媒体を前記厚さ方向の一方側の所定位置に位置規制する片側位置規制面とからなる第２位置規制部と、
該第２位置規制部の前記片側位置規制面の対向側に所定の弾性力を付勢されて前記第１の板状記憶媒体の挿入時はその挿入位置の幅方向外側に退避可能とされるとともに、前記第１の板状記憶媒体を幅方向の所定位置に位置規制し、前記第２の板状記憶媒体の挿入時は、前記第１の板状記憶媒体の挿入位置の幅方向内側に進出して、前記第２の板状記憶媒体を前記片側規制面との間で厚さ方向の所定位置に位置規制する可動位置規制部材とを設けたことを特徴とする板状記憶媒体用ホルダ。
【請求項２】
請求項１に記載の板状記憶媒体用ホルダにおいて、
前記可動位置規制部材が、
前記第２の板状記憶媒体の幅方向の位置規制面を有する柱部と、該柱部の側方に延ばされ、前記第２の板状記憶媒体の厚さ方向の他方側の位置規制面を有するアーム部とを備え、
前記柱部が、前記ケーシングに立設された回転軸に回転支持されるとともに、回転方向に弾性力を付勢する弾性部材により回転方向に弾性支持され、
前記アーム部が、前記第１の板状記憶媒体の未挿入時は、前記弾性力により、前記第１の板状記憶媒体の挿入経路上に突出して支持され、前記第１の板状記憶媒体の挿入時は、挿入方向の奥側に向けて回転して前記挿入経路から退避可能に設けられたことを特徴とする板状記憶媒体用ホルダ。
【請求項３】
請求項１または２に記載の板状記憶媒体用ホルダにおいて、
前記着脱機構が、
前記板状記憶媒体の挿入に際して抜脱方向に弾性力が付勢されるとともに、前記ケーシングに設けられた溝カムと連動して前記板状記憶媒体の挿脱方向の位置を制御された保持部材を備え、
前記第１または第２の板状記憶媒体を前記開口部より押し込んで挿入したとき、収納状態に保持するとともに、収納された前記第１または第２の板状記憶媒体を挿入方向に一旦押し込む操作をすることにより、該第１または第２の板状記憶媒体の保持を解除しつつ前記抜脱方向へ押し戻すことが可能な機構であって、
前記保持部材が、
前記第１および第２の板状記憶媒体を挿脱方向にそれぞれの所定係止位置で係止するための係止部と、
前記第１および第２の板状記憶媒体を挿脱方向のそれぞれの所定位置の奥側で挿脱方向に係合し、前記それぞれの所定位置の手前側で係合解除する係合部とを備えたことを特徴とする板状記憶媒体用ホルダ。
【発明の詳細な説明】
【０００１】
【発明の属する技術分野】
本発明は、板状記憶媒体用ホルダに関する。
【０００２】
【従来の技術】
近年、デジタルカメラや、携帯電話などの各種端末機器としては、メモリカードなどの板状記憶媒体が差し込まれて、データの読み取りおよび／または書き込みを行うものが急速に普及してきている。板状記憶媒体には、例えば、メモリースティック、ＳＤカードなどが知られている。
そして、使用する機器の多様化とメモリ容量の増大などにより、次々に新しい接続仕様や形状を有する板状記憶媒体が市場に投入されている。
このような端末機器おいて、板状記憶媒体が差し込まれるホルダとしては、差し込まれた板状記憶媒体を収納状態に保持するとともに、収納状態の板状記憶媒体に押し込み操作することでその保持を解除してホルダの外側へ押し出す、いわゆるプッシュ・プッシュ式の着脱機構が広く採用され、板状記憶媒体の挿脱（差し込み・取り出し）の利便性が図られている。
このようなプッシュ・プッシュ式の着脱機構としては、いわゆるハートカム（ハート型の溝カム）を利用したものが知られている。このハートカムを利用した保持機構は、板状記憶媒体が差し込まれるホルダ（ケーシング）の側部に設けられたスライダが、ホルダへ挿入される板状記憶媒体により押圧されてホルダ奥側に移動させられ、このスライダに設けられた係合部が前記ハートカムに沿って移動することによって構成されている。（例えば、特許文献１参照。）
【０００３】
【特許文献１】
特開２００１−２６７０１３号公報（第１−２頁、図１−４）
【０００４】
【発明が解決しようとする課題】
しかしながら、上記のような従来の板状記憶媒体用ホルダは、形状の異なる板状記憶媒体を共通の開口部から挿入することはできなかった。
例えば、従来用いられてきた形状の異なる板状記憶媒体として、図１３、１４にそれぞれ示したような形状を有する板状記憶媒体４０、５０がある。その形状の特徴について簡単に説明する。
図１３（ａ）、（ｂ）、（ｃ）は、それぞれ、板状記憶媒体４０の形状を説明するための裏面図、左側面図、平面図である。図１４（ａ）、（ｂ）、（ｃ）は、それぞれ、板状記憶媒体５０の形状を説明するための平面図、右側面図、裏面図である。
【０００５】
板状記憶媒体４０は、長さ×幅×厚さが、Ｌ１×Ｗ１×Ｈ１であるやや細長いほぼ直方体状の外形を有し、その内部に、不揮発メモリなどの記憶素子を含む回路基板からなる記憶媒体本体（いずれも不図示）を収めているものである。
そして、記憶媒体本体に導通する接続端子４０ａ…が、底面４０ｅ（基準面）の先端面４０ｃ側にて内側に引っ込んだ状態に設けられ、端末機器などへ先端側から挿入して接続する構成がとられている。板状記憶媒体４０の先端角部の一方には、平面方向に曲線部４０ｂが形成され、その厚さ方向の底面４０ｅ側に逃げ溝４０ｇが設けられている。その逃げ溝４０ｇの隣接方向後端側に、側部４０ｆ側から平面視Ｕ字状の係止凹部４０ｄが設けられている。係止凹部４０ｄは、板状記憶媒体４０を係合するため側部４０ｆ側から突出される突起物を係合する溝である。
面取り部４０ｂと反対側の側部４０ｆには、底面４０ｅ側の長手方向の中間部に、側部４０ｆ側から平面視コ字状に係止凹部４０ｉが設けられている。
上面４０ｈは、底面４０ｅにほぼ平行な平坦面をなしている。なお、板状記憶媒体４０の外周は、接続端子４０ａを除いて、絶縁体、もしくは接続端子４０ａおよび記憶媒体本体とは電気的に絶縁されている導電体から構成されている。
【０００６】
板状記憶媒体５０は、長さ×幅×厚さが、Ｌ２×Ｗ２×Ｈ２であるほぼ直方体状の外形を有し、その内部に、不揮発メモリなどの記憶素子を含む回路基板からなる記憶媒体本体（いずれも不図示）を収めているものである。
そして、記憶媒体本体に導通する接続端子５０ａ…が、底面５０ｅ（基準面）の先端面５０ｃ側にて内側に引っ込んだ状態に設けられ、端末機器などへ先端側から挿入して接続する構成がとられている。板状記憶媒体５０の先端角部の一方には、平面方向に面取り部５０ｂが形成され、その厚さ方向の底面５０ｅ側に係止溝５０ｇが設けられている。係止溝５０ｇの側面５０ｆ側には、先端に平坦な係止面５０ｉが形成されている。また係止溝５０ｇの隣接方向後端側に、側部５０ｆ側から平面視Ｕ字状の係止凹部５０ｄが設けられている。係止凹部５０ｄは、板状記憶媒体５０を係合するため側部５０ｆ側から突出される突起物を係合する溝である。
面取り部５０ｂと反対側の側部５０ｆには、長手方向の先端面５０ｃ側の係止凹部５０ｄよりもやや先端側の位置に、底面５０ｅ側から平面視コ字状に係止凹部５０ｊが設けられている。
上面５０ｈは、底面５０ｅにほぼ平行な平坦面をなしている。なお、板状記憶媒体５０の外周は、接続端子５０ａを除いて、絶縁体、もしくは接続端子４０ａおよび記憶媒体本体とは電気的に絶縁されている導電体から構成されている。
【０００７】
板状記憶媒体４０、５０は、いずれも底面４０ｅ、５０ｅの側に、接続端子４０ａ…、５０ａ…を備え、曲線部４０ｂおよび係止凹部４０ｄと、面取り部５０ｂおよび係止凹部５０ｄとは、挿入方向に対して左右の同方向に位置している。また、それぞれの外形寸法は、Ｌ１＞Ｌ２、Ｗ１＞Ｗ２、Ｈ１＞Ｈ２の関係にあり、板状記憶媒体５０は、板状記憶媒体４０の占める体積の中に含まれる大きさとなっている。ただし本例では、Ｗ２はＷ１に対して数ミリ程度のわずかな差しか有していない。
さらに、接続端子４０ａ…と接続端子５０ａ…とでは、端子間の配設ピッチや信号の割り当てが異なっており、機械的・電気的な互換性を有していない。
【０００８】
そのため、例えば、板状記憶媒体４０、５０のいずれをも利用することができる端末機器を製作しようとすれば、それぞれに応じて複数の板状記憶媒体用ホルダを設けなければならず、端末機器を小型化することができないという問題があった。
それぞれの板状記憶媒体用ホルダを厚さ方向に重ねて設けることで設置面積を低減することも考えられるが、厚さ方向にスペースを取られるという問題があった。さらに、挿脱の利便性を考慮していわゆるプッシュ・プッシュ式の着脱機構を採用しようとすれば、複雑な形状のハートカムなどの機構をそれぞれに応じて複数設けなければならず、製作費が高価につくという問題があった。
【０００９】
本発明は、このような問題に鑑みてなされたものであって、異なる形状を有する板状記憶媒体、特に挿脱方向の幅がわずかに異なるような形状であっても、上下方向に重ねてそれぞれの挿脱方向の断面積が重なり合う位置関係で共通の開口部から挿脱することができ、着脱機構を共通化して部品点数を削減することができる板状記憶媒体用ホルダを提供することを目的とする。
【００１０】
【課題を解決するための手段】
上記の課題を解決するために、請求項１に記載の発明では、表裏面のうちの一方の側に端子を有し、外形がそれぞれ異なる複数種類の板状記憶媒体を挿脱可能に収納する板状記憶媒体用ホルダであって、挿脱方向から見て、相対的に大きな幅を有する第１の板状記憶媒体と相対的に小さな幅を有する第２の板状記憶媒体とを、共通の開口部から挿入して収納可能なケーシングと、前記開口部から挿入された前記第１または第２の板状記憶媒体を前記ケーシング内の所定位置に保持するとともに、必要に応じて前記開口部から抜脱可能とする着脱機構とを備え、前記ケーシングに、前記第１の板状記憶媒体を少なくともその厚さ方向の所定位置に挿入可能とする厚さ方向の位置規制面を有する第１位置規制部と、該第１位置規制部の前記厚さ方向の位置規制面の一方側に、前記第２の板状記憶媒体の厚さ寸法より小さい段差として形成され、前記第２の板状記憶媒体を幅方向の所定位置で挿入可能とする幅方向の位置規制面と、前記第２の板状記憶媒体を前記厚さ方向の一方側の所定位置に位置規制する片側位置規制面とからなる第２位置規制部と、該第２位置規制部の前記片側位置規制面の対向側に所定の弾性力を付勢されて前記第１の板状記憶媒体の挿入時はその挿入位置の幅方向外側に退避可能とされるとともに、前記第１の板状記憶媒体を幅方向の所定位置に位置規制し、前記第２の板状記憶媒体の挿入時は、前記第１の板状記憶媒体の挿入位置の幅方向内側に進出して、前記第２の板状記憶媒体を前記片側規制面との間で厚さ方向の所定位置に位置規制する可動位置規制部材とを設けた構成とする。
この発明によれば、第１の板状記憶媒体を開口部から挿入すると、第１位置規制部によって少なくとも厚さ方向に所定位置に挿入されるように位置規制された状態で、可動位置規制部材を外側に退避させつつ挿入され、少なくとも可動位置規制部材により幅方向にも位置規制された状態で挿入することができる。そして着脱機構により、ケーシングへの収納、保持、脱抜を行うことができる。一方、第２の板状記憶媒体を開口部から挿入すると、可動位置規制部材が第２位置規制部の片側位置規制面と対向する位置に進出された状態となり、第２位置規制部と可動位置規制部材によって幅方向および厚さ方向の所定位置に位置規制された状態で挿入することができる。そして着脱機構により、ケーシングへの収納、保持、脱抜を行うことができる。その際、片側位置規制面が第１位置規制部の厚さ方向の位置規制面の一方において、第２の板状記憶媒体の厚さ寸法より小さい段差として形成されているから、第１および第２の板状記憶媒体の挿脱方向に直交する断面が厚さ方向に互いに重なり合う位置関係となる。
【００１１】
請求項２に記載の発明では、請求項１に記載の板状記憶媒体用ホルダにおいて、前記可動位置規制部材が、前記第２の板状記憶媒体の幅方向の位置規制面を有する柱部と、該柱部の側方に延ばされ、前記第２の板状記憶媒体の厚さ方向の他方側の位置規制面を有するアーム部とを備え、前記柱部が、前記ケーシングに立設された回転軸に回転支持されるとともに、回転方向に弾性力を付勢する弾性部材により回転方向に弾性支持され、前記アーム部が、前記第１の板状記憶媒体の未挿入時は、前記弾性力により、前記第１の板状記憶媒体の挿入経路上に突出して支持され、前記第１の板状記憶媒体の挿入時は、挿入方向の奥側に向けて回転して前記挿入経路から退避可能に設けられた構成とする。
この発明によれば、可動位置規制部材の進退を、弾性力を付勢したアーム部の回転移動により行うので、第１の板状記憶媒体の挿脱を低荷重で円滑に行うことができる。
【００１２】
請求項３に記載の発明では、請求項１または２に記載の板状記憶媒体用ホルダにおいて、請求項１または２に記載の板状記憶媒体用ホルダにおいて、前記着脱機構が、前記板状記憶媒体の挿入に際して抜脱方向に弾性力を付勢されるとともに、前記ケーシングに設けられた溝カムと連動して前記板状記憶媒体の挿脱方向の位置を制御された保持部材を備え、前記第１または第２の板状記憶媒体を前記開口部より押し込んで挿入したとき、収納状態に保持するとともに、収納された前記第１または第２の板状記憶媒体を挿入方向に一旦押し込む操作をすることにより、該第１または第２の板状記憶媒体の保持を解除しつつ前記抜脱方向手前側へ押し戻すことが可能な機構であって、前記保持部材が、前記第１および第２の板状記憶媒体を挿脱方向にそれぞれの所定係止位置で係止するための係止部と、前記第１および第２の板状記憶媒体を挿脱方向のそれぞれの所定位置の奥側で挿脱方向に係合し、前記それぞれの所定位置の手前側で係合解除する係合部とを備えた構成とする。
この発明によれば、着脱機構が、抜脱方向に弾性力が付勢されるとともにケーシングに設けられた溝カムと連動する保持部材により、第１または第２の板状記憶媒体を押し込んで挿入したとき、収納状態に保持するとともに、収納されたいずれかの板状記憶媒体を挿入方向に一旦押し込む操作をして、その保持を解除しつつ挿脱方向へ押し戻すことが可能な機構であるから、操作性に優れたいわゆるプッシュ・プッシュ式の着脱機構とすることができる。さらに、保持部材に第１および第２の板状記憶媒体のそれぞれに係止、係合する係止部と係合部とをそれぞれ設けるので、溝カムと保持部材とを共用しつつ、異なる形状の板状記憶媒体を着脱することができる。
【００１３】
【発明の実施の形態】
以下では、本発明の実施の形態を、添付図面を参照して説明する。
図１（ａ）は、本発明の実施形態に係る板状記憶媒体用ホルダの一例を説明するための平面説明図である。図１（ｂ）、（ｃ）は、図１（ａ）におけるＡ−Ａ断面図およびＢ視側面図である。図２（ａ）は、本発明の実施形態に係る板状記憶媒体用ホルダのケーシングを説明するための平面説明図である。図２（ｂ）は、（ｃ）は、図２（ａ）におけるＣ−Ｃ断面図およびＤ視側面図である。図３は、本発明の実施形態に係る板状記憶媒体用ホルダに板状記憶媒体を挿入した様子を説明するための挿入方向視の側面説明図である。図４、５は、本発明の実施形態に係る板状記憶媒体用ホルダの可動位置規制部材を説明するための斜視説明図および平面説明図である。図６は、本発明の実施形態に係る板状記憶媒体用ホルダの着脱機構の一部を説明するための平面説明図および右側面説明図である。
【００１４】
本発明の実施形態に係る板状記憶媒体用ホルダ１について説明する。
本実施形態の板状記憶媒体用ホルダ１は、従来用いられているメモリカードなどの板状記憶媒体を異形状の複数種類のものを挿入して、板状記憶媒体本体と基板８とを導通させることを可能とするものである。以下では、特に板状記憶媒体４０（第１の板状記憶媒体）、板状記憶媒体５０（第２の板状記憶媒体）のような異形状を有する場合の例で説明する。
なお、説明の簡単のために、相対的な位置関係を参照する際、板状記憶媒体用ホルダ１が基板８の上側に水平方向に設置され、板状記憶媒体４０、５０をその厚さ方向を上下に向けて、手前側から奥側（図１（ａ）の下側から上側）に挿入するといった配置を前提として説明する。そこで、特に断らなければ、上下方向、挿脱方向、挿入方向（奥側方向）、抜脱方向（手前側方向）などの呼称をそのような配置に基づいて使用する。ただし、これは本発明の板状記憶媒体用ホルダの配置姿勢を何ら限定するものではない。
【００１５】
本実施形態の板状記憶媒体用ホルダ１の概略構成は、図１に示したように、ケーシング２、カバー４が、端子８ａ、８ｂを設けた基板８上に固定して配置されたものである。
カバー４とケーシング２との間のケーシング２上には、回転ブロック１０Ａ、１０Ｂ（可動位置規制部材）と着脱機構３とを備えている。
ケーシング２は、図２に示したように、その底面が、奥側に形成された奥側支持面１７と手前側に形成された第２受け面２Ｆ（片側位置規制面）からなり、その外周側面が、挿脱方向の左右には左側壁２ａおよび右側壁２ｂ、挿脱方向の奥側、手前側には奥側側壁２ｃおよび開口部側壁２ｄからなり、全体として上方に開口した大略箱状をなす部材である。
【００１６】
奥側支持面１７は、板状記憶媒体４０を奥側まで挿入したとき、その底面４０ｅを支持する受け面であり、第２受け面２Ｆは、板状記憶媒体５０を挿入したとき、その底面５０ｅを支持する受け面である。そして、奥側支持面１７の高さは第２受け面２Ｆの高さより高くなっている。その段差寸法は板状記憶媒体５０の厚さＨ２よりも小さく、挿脱方向に対する板状記憶媒体４０、５０の断面積が互いに重なり合う位置関係とされている。
【００１７】
奥側側壁２ｃは、板状記憶媒体５０と比べて奥行き方向に長い板状記憶媒体４０（図１３参照）の接続端子４０ａ…と電気的導通をとるために基板８上に設けられた端子８ａ…を、ケーシング２の奥側の内部に配置するための切欠きが設けられている。端子８ａ…は図２（ｂ）に示したように側面視大略へ字状に屈曲され、接続端子４０ａと当接したとき、下方から上方への弾性力を付勢するばね状に設けられている。
開口部側壁２ｄは、図３に示したように、板状記憶媒体４０、５０を挿入するための切欠きが高さ方向に設けられている。左側壁２ａの幅方向の近傍には、後述する着脱機構３を配置する空間が設けられている。
【００１８】
奥側支持面１７上の端子８ａ…と左側壁２ａとの間には、板状記憶媒体４０の誤挿入を防止するためのストッパ１５、１６が設けられている。
ストッパ１５は、板状記憶媒体４０が奥側まで挿入されたとき、逃げ溝４０ｇの下に潜り込む位置、高さとなるように、奥側支持面１７よりわずかに突出された平面視矩形状の段部である。
ストッパ１６は、端子８ａ…の手前側近傍にストッパ１５の手前側の先端であるストッパ先端１５ａと挿脱方向の位置が揃えられ、板状記憶媒体４０が奥側まで挿入されたときその下側に潜り込む高さに突出された幅方向に延ばされた段部である。
【００１９】
左側壁２ａの近傍の奥側には、コ字状に曲げられた係合バー７（図１（ｂ）参照）の一端を係合する溝カム５が設けられている。溝カム５は、係合バー７の他端が受ける挿脱方向の押圧力に応じて係合バー７の一端を溝方向の所定方向に間欠的に周回移動させる平面視大略ハート型のカムであり、周回方向に溝底の高さを可変することにより、そのような周回移動を可能にしている。溝カム５と係合バー７とは、いわゆるプッシュ・プッシュ方式の挿脱を行うための周知の機構であり、その詳細の構成は例えば特開２００３−６５８３公報に記載されている構成などを好適に採用することができる。
【００２０】
溝カム５の挿脱方向手前側の奥側支持面１７には、下方に掘り下げられて内周面の一部が奥側支持面１７の下側に延ばされた可動突起物の側面を案内するためのカム穴１２が設けられている。
カム穴１２は、左側壁２ａ側に挿脱方向に沿って直線状に延ばされた第４カム面１２ｄを備える。そして、その対向方向に、所定幅で第４カム面１２ｄと平行に所定長さ延ばされた第１カム面１２ａ、その奥側端部から挿脱方向の奥側に向けて第４カム面１２ｄとの距離を拡大する方向に斜めに延ばされた第２カム面１２ｂ、および第４カム面１２ｄと第１カム面１２ａのなす距離よりも広い所定幅で第４カム面１２ｄに平行に延ばされた第３カム面１２ｃを備える。
【００２１】
奥側支持面１７と第２受け面２Ｆとの中間部には、接続端子５０ａ…と電気的導通をとるための端子８ｂ…を基板８上に突出させる孔部１９が設けられている。端子８ｂ…は、図２（ｂ）に示したように、側面視大略へ字状に屈曲され、接続端子５０ａと当接したとき、下方から上方への弾性力を付勢するばね状に設けられている。
孔部１９の左側壁２ａ側の側方には、板状記憶媒体４０の誤挿入を防止するために、奥側支持面１７と同高さで第２受け面２Ｆ内の手前側に突出するストッパ１８が設けられている。
【００２２】
第２受け面２Ｆの左側壁２ａ側の中間部には、下方に掘り下げられて内周面の一部が奥側支持面１７の下側に延ばされた可動突起物の側面を案内するためのカム穴１３が設けられている。
カム穴１３は、左側壁２ａ側に挿脱方向に沿って直線状に延ばされた第４カム面１３ｄを備える。そして、その対向方向に、所定幅で第４カム面１３ｄと平行に所定長さだけ延ばされた第１カム面１３ａ、その奥側端部から挿脱方向の奥側に向けて第４カム面１３ｄとの距離を拡大する方向に斜めに延ばされた第２カム面１３ｂ、および第４カム面１３ｄと第１カム面１３ａのなす距離よりも広い所定幅で第４カム面１３ｄに平行に延ばされた第３カム面１３ｃを備える。
【００２３】
開口部側壁２ｄから奥側には、幅方向の位置規制面として、挿入方向の左側に左外側規制面２Ａ（第１位置規制部）および左内側規制面２Ｄ（第２位置規制部）が、挿脱方向の右側に右外側規制面２Ｂ（第１位置規制部）および右内側規制面２Ｅ（第２位置規制部）がそれぞれ所定長さだけ延ばされている。左外側規制面２Ａと左内側規制面２Ｄの間、右外側規制面２Ｂと右内側規制面２Ｅの間には、板状記憶媒体４０の底面４０ｅを下方に対して位置規制するために奥側支持面１７と同高さに整列した第１受け面２Ｃ（第１位置規制部）が設けられている。左外側規制面２Ａと右外側規制面２Ｂとは、図１（ｃ）、図３（ａ）に示したように、板状記憶媒体４０の幅Ｗ１よりわずかに大きい幅ｗ１だけ離されて、第１受け面２Ｃに垂直に設けられている。
左内側規制面２Ｄと右内側規制面２Ｅとは、図１（ｃ），図３（ｂ）に示したように、左外側規制面２Ａと右外側規制面２Ｂとの間の下方に、板状記憶媒体５０の幅Ｗ２よりわずかに大きい幅ｗ２だけ離されて、第１受け面２Ｃに垂直に設けられている。
【００２４】
左外側規制面２Ａと左側壁２ａとの間および、右外側規制面２Ｂと右側壁２ｂとの間には、それぞれ挿脱方向に適宜の間隔をあけて、回転ブロック１０Ａ、１０Ｂを取り付けるための軸部２１…が設けられている。
軸部２１は、図４に示したように、ケーシング２上に垂直に立てられた円柱状のスタッド２１ｃと、その上面である回転受け面２１ｂに設けられたより小径の回転軸２１ａとからなる。
【００２５】
次に、回転ブロック１０Ａ、１０Ｂについて説明する。
回転ブロック１０Ａ、１０Ｂは挿脱方向の左右方向に対称形状を有するので対応する箇所に同一の符号を付して、回転ブロック１０Ｂの説明は省略する。以下の説明では、図４を参照して回転ブロック１０Ａについて説明する。
回転ブロック１０Ａは、鉛直方向に柱部１０Ｙ、水平方向にアーム部１０Ｘを有する大略Ｌ字状のブロック部材である。
【００２６】
柱部１０Ｙは、軸部２１に上方から挿着して、回転軸２１ａに回転可能に嵌合する軸受部１０ｅと、回転受け面２１ｂとの間に回転軸２１ａに挿入してねじりコイルばね２６（弾性部材）を収容するばね収容部１０ｆとを備えている。ばね収容部１０ｆには、ねじりコイルばね２６の端部を回転させてねじり運動させるための水平方向の切欠きが形成されている。
【００２７】
アーム部１０Ｘは、柱部１０Ｙの下部に板状記憶媒体４０の側部４０ｆを幅方向に位置規制するために設けられた側面規制面１０ｂの上方に、側面規制面１０ｂと直交する水平方向に延ばされた角柱形状を有している。側面規制面１０ｂからアーム部１０Ｘの先端面であるアーム部先端１０ｇまでは、距離ｄとされている。アーム部１０Ｘの下面である上面規制面１０ａは、板状記憶媒体５０の上面５０ｈを上側から規制するための水平方向の平面である。
【００２８】
また回転ブロック１０Ａの側面には、回転ブロック１０Ａが９０度回転したとき、左外側規制面２Ａに整列する平面を形成することができるように、軸受部１０ｅの軸線方向に平行で側面規制面１０ｂおよび上面規制面１０ａに直交するアーム部側面１０ｈがアーム部１０Ｘおよび柱部１０Ｙにわたって設けられている。
アーム部側面１０ｈと、側面規制面１０ｂ、上面規制面１０ａとの間には、板状記憶媒体５０の挿入時に先端面５０ｃが多少ずれて挿入されても、先端面５０ｃを側面規制面１０ｂおよび上面規制面１０ａに向けて案内し、姿勢を修正できるように面取りである傾斜面１０ｄ、１０ｃがそれぞれ設けられている。
【００２９】
図５に、回転ブロック１０Ａ…、１０Ｂ…、ねじりコイルばね２６…をケーシング２に取り付けたときの平面視の様子を示した。アーム部側面１０ｈは、ねじりコイルばね２６の弾性力が付勢されて未挿入時は、アーム部側面１０ｈを挿入方向の側に向けて挿脱方向と直交する方向に配置されている。例えば、板状記憶媒体４０を挿入するなどして、アーム部１０Ｘに外力が加わると、ねじりコイルばね２６が縮径する方向にねじられて、アーム部側面１０ｈが挿脱方向に平行となるまで回転し、２点鎖線で示したように、それぞれ左外側規制面２Ａ、右外側規制面２Ｂに整列させることができる。
【００３０】
次に着脱機構３について説明する。
着脱機構３の概略構成は、スライダ６（保持部材）と係合バー７とからなる。
スライダ６は、図６（ａ）に示したように、長手方向の先端側部に図示の右側方に突出する奥側係止面６ｂおよび誤挿入防止板６ｄを備える大略直方体状のスライダ本体６ａに、その長手方向中間部に奥側ラッチ２２、手前側ストッパ２３および手前側ラッチ２４を奥側から手前側に向かって順次設けたものである。奥側ラッチ２２、手前側ストッパ２３および手前側ラッチ２４は、それぞれコイルばね２５により弾性力が付勢されて、板状記憶媒体４０、５０が挿入される側（図示右側）に進退可能とされている。
また、スライダ６の先端奥側には、挿脱方向にばね保持穴６ｃが設けられている。そして、図１（ａ）に示したように、その内部にコイルばね９（弾性部材）が挿入されて取り付けられ、奥側側壁２ｃに反力をとって、抜脱方向に弾性力が付勢される構成とされている。
【００３１】
スライダ本体６ａは、板状記憶媒体４０、５０の挿脱に伴い、ケーシング２の奥側支持面１７、第２受け面２Ｆ上で、それぞれ挿脱方向にスライドすることが可能な奥側底面６ｆ、手前側底面６ｇを下面側に備えている。
奥側係止面６ｂは、板状記憶媒体４０の曲線部４０ｂおよび曲線部４０ｂに隣接する先端面４０ｃに当接するように設けられた曲線形状を備え、板状記憶媒体４０の挿入に際して、挿入の押圧力をスライダ６に伝達することができる。
誤挿入防止板６ｄは、奥側係止面６ｂの下方から水平方向に延長した板状部であり、板状記憶媒体４０が正規の位置に挿入される際、板状記憶媒体４０の逃げ溝４０ｇ内に収まる形状とされている。
【００３２】
奥側ラッチ２２は、平面視で進出方向側にすぼまる傾斜を有し、挿脱方向の手前側から奥側に向かって進出方向側に緩やかに傾斜する傾斜面２２ａと、奥側ラッチ２２をスライダ本体６ａに進出方向に係止するためのストッパ２２ｂとを備える。
そして進出時に板状記憶媒体４０の係止凹部４０ｄと挿脱方向の幅に嵌合することにより、挿脱方向に係合可能とされている。さらに、図６（ｂ）に示したように、奥側ラッチ２２の下面には下方に突出されたスライド用突起２２ｅが備えられている。それによりケーシング２に取り付けた際に、カム穴１２の第１カム面１２ａ、第２カム面１２ｂ、第３カム面１２ｃに係止可能とされ、スライダ６の挿脱方向の位置に応じて、奥側ラッチ２２の進退方向の位置が可変されるようになっている。
【００３３】
手前側ストッパ２３は、平面視で挿脱方向の手前側から奥側に進出方向側に緩やかに傾斜する傾斜面２３ａと、手前側ストッパ２３をスライダ本体６ａに進出方向に係止するためのストッパ２３ｂとを備える。そして、図６（ｂ）に示したように、板状記憶媒体５０の挿入時に押圧力をスライダ６に伝達して、スライダ６を移動させるために、板状記憶媒体５０の面取り部５０ｂを係止する逃げ溝２３ｄと、その下側で係止面５０ｉを係止する係止面２３ｅ（係止部）とを備えている。
【００３４】
手前側ラッチ２４は、平面視で進出方向側にすぼまる傾斜を有し、挿脱方向の手前側から奥側に向かって進出方向側に緩やかに傾斜する傾斜面２４ａ（係合部）と、手前側ラッチ２４をスライダ本体６ａに進出方向に係止するためのストッパ２４ｂとを備える。
そして進出時に板状記憶媒体５０の係止凹部５０ｄに係合可能とされている。逃げ溝２４ｄは、係止凹部５０ｄの上部の板面を逃げるために設けられた溝である。さらに、図６（ｂ）に示したように手前側ラッチ２４の下面には下方に突出されたスライド用突起２４ｅが備えられ、それによりケーシング２に取り付けた際に、カム穴１３の第１カム面１３ａ、第２カム面１３ｂ、第３カム面１３ｃに係止可能とされ、スライダ６の挿脱方向の位置に応じて、手前側ラッチ２４の進退方向の位置が可変されるようになっている。
【００３５】
次に、本発明の実施形態に係る板状記憶媒体用ホルダ１の動作について説明する。
図７は、本発明の実施形態に係る板状記憶媒体用ホルダ１に板状記憶媒体４０を挿入したときの動作を説明するための平面視説明図である。図８は、その場合のスライダ６の動作を説明するための模式説明図である。図９は、本発明の実施形態に係る板状記憶媒体用ホルダ１に板状記憶媒体５０を挿入したときの動作を説明するための平面視説明図である。図１０は、その場合のスライダ６の動作を説明するための模式説明図である。
【００３６】
まず、板状記憶媒体４０を挿脱する場合について説明する。
板状記憶媒体４０は、挿入方向に直交する断面でＷ１×Ｈ１の大きさを有するので、図３（ａ）に示したように、ｗ１×ｈ１の大きさを有する開口部１１に挿入することができる。そして奥側に押し込むと、幅方向には左外側規制面２Ａと右外側規制面２Ｂとにより、厚さ方向に第１受け面２Ｃ、２Ｃと、カバー天井面４ａ（第１位置規制部）とにより位置規制され、所定位置に案内されていく。
このとき回転ブロック１０Ａ、１０Ｂは、図５に示したように、アーム部１０Ｘ…を板状記憶媒体４０の挿入経路上に進出させているが、先端面４０ｃを介して挿入の押圧力が伝達されると、奥側に向かって回転し、アーム部側面１０ｈ…が側部４０ｆ、４０ｆに沿う位置まで退避する。このとき、挿入方向の奥側に回転して退避するので、挿入時の抵抗を小さくして、円滑な挿入を行うことができるという利点がある。
【００３７】
挿入を続けると、曲線部４０ｂが、傾斜面２４ａ、傾斜面２３ａ、傾斜面２２ａに順次当接し、手前側ラッチ２４、手前側ストッパ２３、奥側ラッチ２２がそれぞれ退避方向に押圧力を受けて退避する。そして、図７（ａ）に示したように、曲線部４０ｂおよび先端面４０ｃの一部が奥側係止面６ｂに係止される。以後、挿入の押圧力は、曲線部４０ｂおよび先端面４０ｃから奥側係止面６ｂを介してスライダ６に伝達され、スライダ６は挿入方向に板状記憶媒体４０とともに移動される。それとともに、係合バー７が溝カム５内を移動する。その結果、係合バー７と係合されるスライダ６が、溝カム５の形状に応じて挿入方向に位置規制されて移動する。
【００３８】
一方、このような図７（ａ）の状態では、図８（ａ）に示したように、スライド用突起２２ｅが第１カム面１２ａと係止される位置関係にある。このため、奥側ラッチ２２は、係止凹部４０ｄに対して図示左側に退避した位置にあり、係止凹部４０ｄと係合されていない。すなわち、この状態では、挿入を止めて手前側に引抜いて板状記憶媒体４０を抜脱することが可能である。
【００３９】
さらに板状記憶媒体４０の挿入を続けると、溝カム５が周知のいわゆるプッシュ・プッシュ方式の着脱動作を行うため、限度まで押し込んで挿入を止めると、接続端子４０ａ…と端子８ａ…とが適切な接触圧で当接する所定の挿入位置に戻される。図７（ｂ）はこの状態を示す。
このとき、奥側ラッチ２２は、図８（ｂ）に示した位置関係にある。すなわち、スライド用突起２２ｅが第３カム面１２ｃに係止され、図示右側に進出する状態となっている。その結果、奥側ラッチ２２が係止凹部４０ｄと嵌合し、板状記憶媒体４０がスライダ６に係合される。このため、板状記憶媒体４０を手前側に引抜くことはできなくなり、板状記憶媒体４０がスライダ６に保持されて、板状記憶媒体用ホルダ１に収納される。
以上で、板状記憶媒体４０の挿入動作が完結する。
【００４０】
板状記憶媒体４０を抜脱するには、通常のプッシュ・プッシュ方式と同様に、板状記憶媒体４０を所定距離だけ押し込むように挿入してから押圧を止める。すると、係合バー７が溝カム５を手前側に戻る経路をたどり、コイルばね９により弾性力を付勢され、スライダ６が手前方向に移動する。
このとき、奥側ラッチ２２に係合された板状記憶媒体４０も同方向に移動する。
その動作に伴い、スライド用突起２２ｅが第３カム面１２ｃ、第２カム面１２ｂに沿って挿脱方向に移動し、第１カム面１２ａに到ると、図８（ａ）の係合が解除された状態となる。そして、板状記憶媒体４０は、単独で引抜くことが可能となる。
このようにして、板状記憶媒体４０の抜脱動作が完結する。
【００４１】
次に、板状記憶媒体５０を挿脱する場合について説明する。
板状記憶媒体５０は、挿入方向に直交する断面でＷ２×Ｈ２の大きさを有するので、図３（ｂ）に示したように、回転ブロック１０Ａ、１０Ｂが開口部１１の内側に進出した状態で、ｗ２×ｈ２の大きさを有する開口部１１に挿入することができる。そして奥側に押し込むと、幅方向には左内側規制面２Ｄおよび右内側規制面２Ｅ、ならびに側面規制面１０ｂ、１０ｂにより、厚さ方向には第２受け面２Ｆと上面規制面１０ａ、１０ａとにより位置規制され、所定位置精度で案内されていく。
このとき回転ブロック１０Ａ、１０Ｂは、ねじりコイルばね２６…により、弾性力を付勢されているので、アーム部１０Ｘ…を板状記憶媒体５０の挿入経路の上方に進出させる状態を維持する。
【００４２】
このとき、手前側ストッパ２３は、図９（ａ）に示したように、板状記憶媒体５０の挿入経路上に進出している。
一方、手前側ラッチ２４は、図１０（ａ）に示したように、スライド用突起２４ｅが第１カム面１３ａと係止される位置関係にあるため、板状記憶媒体４０の挿入経路に対しては、経路内に突出しているものの、板状記憶媒体５０の挿入経路に対しては外側に退避する位置にある。このため、手前側ラッチ２４は、係止凹部５０ｄに対して図示左側に退避した位置にあり、係止凹部５０ｄと係合されていない。すなわち、この状態では、挿入を止めて手前側に引抜いて板状記憶媒体５０を抜脱することが可能である。
そして、挿入を続けると、図９（ａ）に示したように、面取り部５０ｂの一部が逃げ溝２３ｄに貫入し、係止面５０ｉが係止面２３ｅに係止される。以後、挿入の押圧力は、係止面５０ｉから係止面２３ｅを介してスライダ６に伝達され、スライダ６は挿入方向に板状記憶媒体５０とともに移動される。それとともに、係合バー７が溝カム５内を移動する。その結果、係合バー７と係合されるスライダ６が、溝カム５の形状に応じて挿入方向に位置規制されて移動する。
【００４３】
さらに板状記憶媒体５０の挿入を続けると、溝カム５が周知のいわゆるプッシュ・プッシュ方式の着脱動作を行うため、限度まで押し込んで挿入を止めると、接続端子５０ａ…と端子８ｂ…とが適切な接触圧で当接する所定の挿入位置に戻される。図９（ｂ）はこの状態を示す。
このとき、手前側ラッチ２４は、図１０（ｂ）に示した位置関係にある。すなわち、スライド用突起２４ｅが第３カム面１３ｃに係止され、図示右側に進出する状態となっている。その結果、手前側ラッチ２４が係止凹部５０ｄと嵌合し、板状記憶媒体５０がスライダ６に係合される。このため、板状記憶媒体５０を手前側に引抜くことはできない。
以上で、板状記憶媒体５０の挿入動作が完結する。
【００４４】
板状記憶媒体５０を抜脱するには、通常のプッシュ・プッシュ方式と同様に、板状記憶媒体５０を所定距離だけ押し込むように挿入してから押圧を止める。すると、係合バー７が溝カム５を手前側に戻る経路をたどり、コイルばね９により弾性力を付勢され、スライダ６が手前方向に移動する。
このとき、手前側ラッチ２４に係合された板状記憶媒体５０も同方向に移動する。
その動作に伴い、スライド用突起２４ｅが第３カム面１３ｃ、第２カム面１３ｂに沿って挿脱方向に移動し、第１カム面１３ａに到ると、図１０（ａ）の係合が解除された状態となる。そして、板状記憶媒体５０は、単独で引抜くことが可能となる。
このようにして、板状記憶媒体５０の抜脱動作が完結する。
【００４５】
次に、板状記憶媒体用ホルダ１の逆差し防止作用について、図１１を参照して簡単に説明する。
図１１は、本発明の実施形態に係る板状記憶媒体用ホルダの逆差し防止作用を説明するための平面視説明図である。
板状記憶媒体４０を逆差しした場合、図１１（ａ）に示したように、ストッパ１５のストッパ先端１５ａおよびストッパ１６が先端面４０ｃと干渉してそれ以上奥側に挿入することができないので、誤挿入を防止できる。その際、先端面４０ｃは、端子８ａ…と接触しないので、端子８ａ…の破損などの事故を防止することができるという利点がある。
また、板状記憶媒体５０を逆差しした場合、図１１（ｂ）に示したように、ストッパ１８のストッパ先端１８ａが先端面５０ｃと干渉してそれ以上奥側に挿入することができないので、誤挿入を防止できる。その際、先端面５０ｃは、端子８ｂ…と接触しないので、端子８ｂ…の破損などの事故を防止することができるという利点がある。
【００４６】
以上に説明したように、本発明の実施形態に係る板状記憶媒体用ホルダによれば、板状記憶媒体４０と、板状記憶媒体４０と相対的に幅、厚さおよび奥行き寸法が異なり、その占有体積に含まれる形状を有する板状記憶媒体５０とを、共通の開口部から挿入していわゆるプッシュ・プッシュ方式の着脱機構により容易に挿脱することができる。その場合、それぞれの板状記憶媒体の幅寸法が近接していても、幅狭の第２の板状記憶媒体（板状記憶媒体５０）の幅方向外側に幅広の第１の板状記憶媒体（板状記憶媒体４０）の厚さ方向の位置規制面（第１受け面２Ｃ）を設けたので、コンパクトで安定した位置規制面を形成することができるという利点がある。
また、その際、挿脱方向に直交する断面が互いに重なりあうように開口部を形成するので、挿脱方向の直交する断面を比較的小さくすることができ、薄型化が可能な板状記憶媒体用ホルダとすることができるという利点がある。
また、第１および第２の板状記憶媒体を共通の保持部材（スライダ６）に係止、係合するので、保持部材を共通化することができ、安価に製作できるという利点がある。
【００４７】
なお、上記の説明では、第１および第２の位置規制部を挿脱方向に連続する面で形成した例で説明したが、複数の突起などにより不連続な面から形成してもよい。
【００４８】
また、上記の説明では、第１位置規制部が、厚さ方向の位置規制面であるカバー天井面４ａ、第１受け面２Ｃと、幅方向の位置規制面である左外側規制面２Ａ、右外側規制面２Ｂとからなる例で説明したが、回転ブロック１０Ａ、１０Ｂのように本発明の可動位置規制部材は、第１の板状記憶媒体の挿入時に幅方向の位置規制面を形成するので、他の幅方向の位置規制面は設けない構成としてもよい。
【００４９】
また、上記の説明では、可動位置規制部材として、回転ブロック１０Ａを用い、弾性部材としてねじりコイルばね２６により弾性力を付勢する例で説明したが、図１２に示したように、回転ブロック１０Ａと略同様の外形を有するアーム部１０Ｘ、回転支持部１０Ｙからなる略Ｌ字状ブロックに、回転方向に撓む板ばね状の弾性部１００ｇ（弾性部材）を一体に設けた回転ブロック１００Ａを用いてもよい。弾性部１００ｇの先端は、適宜の壁面６０に反力をとる。なお、壁面６０と摺動しやすくし、弾性部１００ｇの弾性を適宜調整しやすくするためには、図示のように撓み方向に波形状とすることが好ましい。また、このような回転ブロック１００Ａは合成樹脂の一体成形で製作することができる。
このようにすれば、部品点数を低減して安価な板状記憶媒体用ホルダとすることができるという利点がある。
【００５０】
また、上記の説明では、板状記憶媒体として、板状記憶媒体４０、５０の例で説明したが、これは一例であって、本発明の技術思想の範囲でこれらと寸法関係の異なるものであってもよいことは言うまでもない。
【００５１】
【発明の効果】
以上に述べたように、請求項１に記載の発明では、形状の異なる第１および第２の板状記憶媒体であっても、共通の開口部から挿入して、着脱機構に係合することにより、収納し、それぞれに共通の保持部材により保持することができ、さらに、片側位置規制面が第１位置規制部の厚さ方向の位置規制面の一方において、第２の板状記憶媒体の厚さ寸法より小さい段差として形成されているから、第１および第２の板状記憶媒体の挿脱方向に直交する断面が厚さ方向に互いに重なり合う位置関係となり、厚さ方向にコンパクトな構成とすることができるという効果を奏する。
【００５２】
請求項２に記載の発明では、可動位置規制部材の進退を、弾性力を付勢したアーム部の回転移動により行うので、第１の板状記憶媒体の挿脱を低荷重で円滑に行うことができるから、操作性を向上することができるという効果を奏する。
【００５３】
請求項３に記載の発明では、操作性に優れたいわゆるプッシュ・プッシュ式の着脱機構とすることができ、さらに保持部材に第１および第２の板状記憶媒体のそれぞれに係止、係合する係止部と係合部とをそれぞれ設けるので、溝カムと保持部材とを共用しつつ、異なる形状の板状記憶媒体を着脱することができるから、操作性を向上し、製作コストを低減することができるという効果を奏する。
【図面の簡単な説明】
【図１】本発明の実施形態に係る板状記憶媒体用ホルダの一例を説明するための平面説明図ならびにそのＡ−Ａ断面図およびＢ視側面図である。
【図２】本発明の実施形態に係る板状記憶媒体用ホルダのケーシングを説明するための平面説明図ならびにそのＣ−Ｃ断面図およびＤ視側面図である。
【図３】本発明の実施形態に係る板状記憶媒体用ホルダに板状記憶媒体を挿入した様子を説明するための挿入方向視の側面説明図である。
【図４】本発明の実施形態に係る板状記憶媒体用ホルダの可動位置規制部材を説明するための斜視説明図である。
【図５】同じく平面説明図である。
【図６】本発明の実施形態に係る板状記憶媒体用ホルダの着脱機構の一部を説明するための平面説明図および右側面説明図である。
【図７】本発明の実施形態に係る板状記憶媒体用ホルダに板状記憶媒体の一つを挿入したときの動作を説明するための平面視説明図である。
【図８】同じくその際の保持部材の動作を説明するための模式説明図である
【図９】本発明の実施形態に係る板状記憶媒体用ホルダに板状記憶媒体の他を挿入したときの動作を説明するための平面視説明図である。
【図１０】同じくその際の保持部材の動作を説明するための模式説明図である。
【図１１】本発明の実施形態に係る板状記憶媒体用ホルダの逆差し防止作用を説明するための平面視説明図である。
【図１２】本発明の実施形態に係る可動位置規制部材の他の例を説明するための斜視説明図である。
【図１３】従来用いられている板状記憶媒体の一例を説明するための裏面図、左側面図、平面図である。
【図１４】同じく板状記憶媒体の他例を説明するための平面図、右側面図、裏面図である。
【符号の説明】
１  板状記憶媒体用ホルダ
２  ケーシング
２Ａ  左外側規制面（第１位置規制部）
２Ｂ  右外側規制面（第１位置規制部）
２Ｃ  第１受け面（第１位置規制部）
２Ｄ  左内側規制面（第２位置規制部）
２Ｅ  右内側規制面（第２位置規制部）
２Ｆ  第２受け面（片側位置規制面）
３  着脱機構
４ａ  カバー天井面（第１位置規制部）
５  溝カム
６  スライダ
７  係合バー
８  基板
９  コイルばね（弾性部材）
１０Ａ、１００Ａ  回転ブロック（可動位置規制部材）
１０Ｂ  回転ブロック（可動位置規制部材）
１０ａ  上面規制面
１０ｂ  側面規制面
１０Ｘ  アーム部
１０Ｙ  柱部
１１  開口部
１２、１３  カム穴
２１ａ  回転軸
２２ｄ  係合部
２３ｅ  係止面（係止部）
２４ａ  傾斜面（係合部）
２６  ねじりコイルばね（弾性部材）
４０  板状記憶媒体（第１の板状記憶媒体）
５０  板状記憶媒体（第２の板状記憶媒体）
１００ｇ  弾性部（弾性部材）
【図１】
2004280687.tif 000003
【図２】
2004280687.tif 000004
【図３】
2004280687.tif 000005
【図４】
2004280687.tif 000006
【図５】
2004280687.tif 000007
【図６】
2004280687.tif 000008
【図７】
2004280687.tif 000009
【図８】
2004280687.tif 000010
【図９】
2004280687.tif 000011
【図１０】
2004280687.tif 000012
【図１１】
2004280687.tif 000013
【図１２】
2004280687.tif 000014
【図１３】
2004280687.tif 000015
【図１４】
2004280687.tif 000016